(57)【要約】      （修正有）【課題】農薬の毒薬剤を使用せずにウイルス、細菌、真菌、粘菌や微生物による感染症の病気予防ができると共に、収穫した後の野菜や果実が腐り難く、新鮮性を保って賞味期限と消費期限を延ばす事ができると共に、食べても食中毒になり難い植物の栽培方法を提供する。【解決手段】銀イオン、亜鉛イオン、銅イオンが溶出した抗菌性金属イオン３・ミネラルウォーターを植物栽培イオン水とすることにより、樹液、菜液、草液等の植物液や植物組織（細胞等）に抗菌性金属イオン３を含有させて殺菌性、除菌性、抗菌性がある抗菌植物７（イオン植物体）にする事ができて栽培時のウイルス、細菌、真菌、粘菌や微生物による感染症予防と病気の改善、治療。更に、収穫後に腐り難く賞味期限、消費期限を延ばすことができる。【選択図】図２
2017023015.tif 000002
【特許請求の範囲】
【請求項１】
水道水、地下水、蒸留水、自然水（天然水）、農業用水の原水を殺菌性、除菌性、抗菌性がある銀イオン、亜鉛イオン、銅イオンとなる銀、亜鉛、銅を個別、或いは複合（各個混合又は全混合）で担持させた無機物担体または有機物担体からなる金属イオン抗菌剤、または金属イオン抗菌剤を成型した金属イオン抗菌材と溜水接触させて、前記原水に銀イオン、亜鉛イオン、銅イオンを溶出してイオン化した抗菌性金属イオン・ミネラルウォーター、或いは前記原水を銀や亜鉛または銅を電極にして、電気分解で得られた銀イオン、亜鉛イオン、銅イオンが溶出した電解液の抗菌性金属イオン・ミネラルウォーターを植物栽培イオン水とすることにより、樹液、菜液、草液等の植物液や植物組織（細胞等）に抗菌性金属イオンを含有させて殺菌性、除菌性、抗菌性がある抗菌植物（イオン植物体）にして栽培時のウイルス、細菌、真菌、粘菌や微生物による感染病の予防と感染症の改善、治療と共に生産性の向上、更に収穫後に腐り難くすることができる事を特長とした抗菌性金属イオン水栽培方法。
【請求項２】
殺菌性、除菌性、抗菌性がある銀イオン、亜鉛イオン、銅イオンとなる銀、亜鉛、銅を個別、或いは複合（各個混合又は全混合）で担持させた無機物担体または有機物担体からなる金属イオン抗菌剤、または金属イオン抗菌剤を成型した金属イオン抗菌材を植物栽培の培地や植物栽培土壌に混ぜる、或いは表面にばら蒔くことにより、接触した雨水や栽培給水の水に銀イオン、亜鉛イオン、銅イオンが溶出して、抗菌性金属イオン水となった抗菌性金属イオン・ミネラルウォーターを植物栽培イオン水とすることにより、樹液、菜液、草液等の植物液や植物組織（細胞等）に抗菌性金属イオンを含有させて殺菌性、除菌性、抗菌性がある抗菌植物（イオン植物体）にして栽培時のウイルス、細菌、真菌、粘菌や微生物による感染病の予防と感染症の改善、治療と共に生産性の向上、更に収穫後に腐り難くすることができる事を特長とした抗菌性金属イオン水栽培方法。
【請求項３】
自然太陽光または、ＬＥＤランプ光で栽培の植木鉢、プランターやマンション（特にタワーマンション）、ホテル、料亭、旅館、施設等の屋・室内外のミニ盆栽、ミニ庭園、ミニ農園の植物の栽培水に抗菌性金属イオン・ミネラルウォーターを用いる事により、カビ（真菌）の発生と増殖やウイルス、細菌、粘菌、微生物が繁殖せず、また抗菌性金属イオン・ミネラルウォーターが蒸発して空気中や室内のウイルス、細菌、真菌、粘菌、微生物をも殺菌することが出来る事を特徴とした請求項１、請求項２に記載の抗菌性金属イオン水栽培方法。
【発明の詳細な説明】
【技術分野】
【０００１】
本発明は、抗菌性金属イオン・ミネラルウォーターである抗菌性金属イオン水で植物を栽培する方法であり、より詳言すれば、抗菌性金属イオンによりイオン化して殺菌性、除菌性、抗菌性がある金属イオン・ミネラルウォーターである抗菌性金属イオン水を植物栽培イオン水とすることにより、栽培水の水の殺菌だけではなく栽培植物の樹液、菜液、草液等がイオン化されてウイルス、細菌や真菌等の感染病になり難くなると共に、植物自体も抗菌性金属イオン化するため、殺菌性、除菌性、抗菌性がある抗菌植物となり、野菜、果実や生花等は収穫後も腐り難くすることができる抗菌性金属イオン水栽培方法に関するものである。
【背景技術】
【０００２】
例えば植物である野菜が掛かる病気で、うどん粉病、疫病、灰色かび病、ベト病、白さび病等はカビが原因の病気であり、モザイク病等はウイルスが原因の病気である。また、細菌が原因の病気では軟腐病などがある事からも分かるように、植物の病気はカビ、ウイルス、細菌が主な原因である。従って、植物の病気の予防や病気を抑制したり、病気の改善にはカビ、ウイルス、細菌等の微生物（本願の微生物とは真菌も含む）の殺菌と除菌が必要である。
【０００３】
従来の植物の病気の予防や治療である微生物の殺菌と除菌には、薬剤である農薬が一般的であり、前記、野菜のうどん粉病にはジーファイン水和剤、疫病にはランマンフロアブル、灰色かび病にはインブレッション水和剤、ベト病にはＺボルドー、軟腐病にはバイオキーバー水和剤等と、それぞれの微生物に対して効果的に殺して除菌することができる生物に対する毒薬剤が使用されていて、当然、人体にも害がある。従って、無農薬による安全が求められている今、生産性の向上と安全性を両立させるためには、必然的に植物栽培において人体に対して無害な殺菌剤・除菌剤・抗菌剤が求められている。
【０００４】
そこで、昔から抗菌性金属が水と接触すると水の解離により生成する水素イオン（電子）の作用により、抗菌性金属体から少量の抗菌性金属イオンが溶出されて殺菌ミネラルウォーターになる。ウイルス、細菌や真菌等の微生物がこの抗菌性金属イオンと接触することにより、殺菌や増殖抑制などによって殺菌効果、除菌効果、抗菌効果がもたらされることは知られていた。特に銀イオン、銅イオン、亜鉛イオンの殺菌作用、除菌作用、抗菌作用と安全性は公知である。従って、近年、安全性が高く、殺菌力も強くて長時間持続する抗菌性金属イオン水がウイルス、細菌や真菌等の微生物の殺菌や除菌と消毒に用いられるようになってきている。例えば銀イオン水の殺菌、除菌、抗菌が開示されている（特許文献１、特許文献２、特許文献３参照）。また、銀イオン水による飲食品の殺菌や抗酸化性についても開示されている（特許文献４、特許文献５参照）。
【先行技術文献】
【特許文献】
【０００５】
【特許文献１】特開  ２００６−６９９３５
【特許文献２】特開  ２００１−３５３２０７
【特許文献３】特開  ２００７−２６３４３８
【特許文献４】特開  ２０１４−２００７７８
【特許文献５】特開  ２０１２−６７０２６
【０００６】
特許文献１は、「銀イオン水生成用材料とそれを用いる銀イオン水製造方法」であり、本願と同じように抗菌性金属イオン剤のペレットを水の中に入れて抗菌性金属イオン水をつくる製造方法であるが、製造された銀イオン水の用途は、「１）部屋、押入、カーテン、家具、トイレ、浴室、流し台、２）衣類、食器、包丁、まな板、ふきん、靴、生ゴミ、ゴミペール、３）電車、バス、タクシー、自家用車、介護施設、病院、ホテル客室、レストラン、食品製造加工施設、家畜飼育施設等において、消臭、殺菌、抗菌等を目的として使用することができる」とあるように、銀イオン水をスプレー容器に入れて物に銀イオン水をスプレーして、殺菌・消臭する「物の殺菌」である。当然、食品も物としてスプレーすることにより表面に付着した細菌は殺菌消毒することができる。
【０００７】
特許文献２は、導電性を有する溶液内に通電が可能な２枚の銀板を電極として単相交流を通電（直流通電する場合は１極に炭素板を用いる）することにより、導電性の溶液が電気分解されて、殺菌力のある電解銀イオン溶液が生成される。この殺菌溶液の中を病室や手術室等の密閉された空間の大気を送り込んで、該大気内に含まれている各種微生物や各種細菌、各種ウイルスを殺菌・除菌及び除臭して、また密閉された病室や手術室等の空間に戻す循環を繰り返すことにより、密閉空間の大気を無菌状態にして安全と感染症の予防ができる銀イオン水を用いた殺菌・除菌及び消臭の方法とその装置に於ける「空気の殺菌」である。
【０００８】
特許文献３は、加湿器に於いて水槽内に加湿用水が貯めた状態におかれると水槽内に混入した雑菌が繁殖して加湿用水が汚染され、加湿手段により雑菌が放出されて周辺の環境に悪影響を及ぼす場合がある。そのため、表面が銀ゼオライト層で被覆された抗菌剤放出体を平板網状の収納袋に収納して加湿器の水槽内に載置し、抗菌剤放出体押え部材を用いて抗菌剤放出体を水没させた状態で加湿器を使用することにより、水中に高濃度の銀イオンが放出され、水槽全体にわたって高い抗菌効果が得られ、雑菌の繁殖を抑え、水槽内の水を清潔に保つと共に、雑菌の少ない霧や水蒸気を放出するので、周辺の環境を清潔に保つことができる加湿器に於ける「水の殺菌」である。
【０００９】
特許文献４は、銀を陽極にした電解装置で水道水を銀電解し、これを濾過器で濾過後に、電解生成装置の電解陽極室と電解陰極室とに流水して、陽極銀水と陰極銀水を生成する。または、最初に濾過器で濾過し、その後に電解生成装置で電解生成した電解陽極水と電解陰極水のうち、電極陰極水を銀電解して陰極銀水を生成。或いは、銀電解をし、濾過後に、陽極水と陰極水を混合した銀水を生成するものである。このようにして生成された銀水は、電解解離水に電解銀イオン水で求めた銀イオン水が含有されているものである。すなわち、電解解離水に「銀イオンを添加した抗酸化飲料水」である。
【００１０】
特許文献５は、金イオンと銀イオンの両方の金属イオンを含有する飲食品であり、金イオン単独でも抗酸化作用が得られることは公知であったが、充分な効果を得るためには１ppm以上の配合量が必要であった。しかしながら、少量の銀イオンを併合することにより、両イオンの相乗効果によって顕著な抗酸化作用の向上が見られ、その高い抗酸化作用から活性酸素除去作用にも優れている。このように、金イオンと銀イオンとを同時に含有することにより、高い抗酸化作用を発揮、付与することができるため、老化、ガン及び、糖尿病、高脂血症等の生活習慣病の予防・改善に効果的な「金イオンと銀イオンの両方を含有した抗酸化性の皮膚外用剤（化粧料）及び飲食品」である。
【発明の概要】
【発明が解決しようとする課題】
【００１１】
このように、従来の抗菌性金属イオン水は、物の殺菌、空気の殺菌、水の殺菌と化粧料等の皮膚外用剤や一部の飲食品等にも配合して、その抗酸化性による老化（経時劣化）予防と病気予防に用いられていた。植物の栽培に於いても栽培する水を殺菌する「水の殺菌」としてや栽培植物に直接スプレーする「物の殺菌」として、また噴霧して温室内等の「空気の殺菌」にも使用されてきてはいるものの、栽培植物の病気予防や治療には主に毒薬剤である農薬の散布や投与されているのが現状である。従って、散布や投与した農薬が雨等で流されて無くなれば、またウイルス、細菌、真菌、粘菌等の微生物が繁殖して病気が発生するため、栽培期間中は生産面から農薬の散布や投与を何回も行う事により、農薬が蓄積して野菜や果実などの農薬汚染濃度が高くなる。そこで収穫が近い時期には残留農薬が少なくなるように農薬を控えて栽培するため、収穫後は腐りやすくなり、鮮度を保つために冷蔵保存等が必要と成っている。この様に、従来の毒薬剤による農薬の栽培方法は、栽培植物体の周りの環境や付着したウイルス、細菌、真菌、粘菌等の微生物を殺菌、除菌、抗菌するもので生産面、安全面と鮮度保存面、経済面、公害面に問題があり、植物栽培には「生育に肥料、感染病には無害殺菌」という課題があった。
【００１２】
本発明は、このような従来の課題を解決しようとするもので、抗菌性金属イオン・ミネラルウォーターを植物の育成栽培水として用いて、発芽から光合成により高分子化合物の炭水化物を作る合成の段階から抗菌性金属イオンを取り入れて組み込み、植物イオン体にして殺菌性、除菌性、抗菌性の殺菌能力を持たせた抗菌植物にすることにより、栽培中に住み着こうと付着した、または栽培植物に住み着いているウイルス、細菌、真菌、粘菌や微生物を殺菌して除菌するため、ウイルス、細菌、真菌、粘菌や微生物による感染症の病気予防ができる。また収穫した後の野菜や果実も抗菌性金属イオン植物体のため、ウイルス、細菌、真菌、粘菌や微生物が殺菌され、且つ殺菌力が持続する事により腐り難く、新鮮性を保つと共に賞味期限と消費期限を延ばす事ができる。また食べても抗菌性金属イオンにより食中毒になり難いと共に、人間の身体も感染症予防ができる体質にもなる植物の抗菌性金属イオン水栽培を提供することを課題（目的）とする。
【課題を解決するための手段】
【００１３】
本発明の課題を解決するための手段は、次のとおりである。
（１）水道水、地下水、蒸留水、自然水（天然水）、農業用水の原水を殺菌性、除菌性、抗菌性がある銀イオン、亜鉛イオン、銅イオンとなる銀、亜鉛、銅を個別、或いは複合（各個混合又は全混合）で担持させた無機物担体または有機物担体からなる金属イオン抗菌剤、または金属イオン抗菌剤を成型した金属イオン抗菌材と溜水接触させて、前記原水に銀イオン、亜鉛イオン、銅イオンを溶出してイオン化した抗菌性金属イオン・ミネラルウォーター、或いは前記原水を銀や亜鉛または銅を電極にして、電気分解で得られた銀イオン、亜鉛イオン、銅イオンが溶出した電解液の抗菌性金属イオン・ミネラルウォーターを植物栽培イオン水とすることにより、樹液、菜液、草液等の植物液や植物組織（細胞等）に抗菌性金属イオンを含有させて殺菌性、除菌性、抗菌性がある抗菌植物（イオン植物体）にして栽培時のウイルス、細菌、真菌、粘菌や微生物による感染病の予防と感染症の改善、治療ができる抗菌植物であると共に生産性の向上、更に収穫後に腐り難くすることができる事を特長とした抗菌性金属イオン水栽培方法。
（２）殺菌性、除菌性、抗菌性がある銀イオン、亜鉛イオン、銅イオンとなる銀、亜鉛、銅を個別、或いは複合（各個混合又は全混合）で担持させた無機物担体または有機物担体からなる金属イオン抗菌剤、または金属イオン抗菌剤を成型した金属イオン抗菌材を植物栽培の培地や植物栽培土壌に混ぜる、或いは表面にばら蒔くことにより、接触した雨水や栽培給水の水に銀イオン、亜鉛イオン、銅イオンが溶出して、抗菌性金属イオン水となった抗菌性金属イオン・ミネラルウォーターを植物栽培イオン水とすることにより、樹液、菜液、草液等の植物液や植物組織（細胞等）に抗菌性金属イオンを含有させて殺菌性、除菌性、抗菌性がある抗菌植物（イオン植物体）にして栽培時のウイルス、細菌、真菌、粘菌や微生物による感染病の予防と感染症の改善、治療ができると共に生産性の向上、更に収穫後に腐り難くすることができる事を特長とした抗菌性金属イオン水栽培方法。
（３）自然太陽光または、ＬＥＤランプ光で栽培の植木鉢、プランターやマンション（特にタワーマンション）、ホテル、料亭、旅館、施設等の屋・室内外のミニ盆栽、ミニ庭園、ミニ農園の植物の栽培水に抗菌性金属イオン・ミネラルウォーターを用いる事により、カビ（真菌）の発生と増殖やウイルス、細菌、粘菌、微生物が繁殖せず、また抗菌性金属イオン・ミネラルウォーターが蒸発して空気中や室内のウイルス、細菌、真菌、粘菌、微生物をも殺菌することが出来る事を特徴とした（１）、（２）に記載の抗菌性金属イオン水栽培方法。
【発明の効果】
【００１４】
本発明は、このように、殺菌力がある抗菌性金属イオン・ミネラルウォーターを露地栽培、水耕栽培、野菜工場等の植物栽培水の殺菌ミネラルウォーターである抗菌性金属イオン水とする事により植物液や植物組織がイオン化されるため、植物自体が殺菌性、除菌性、抗菌性を持った植物イオン体（抗菌植物）になって、植物に住み着いているウイルス、細菌、真菌、粘菌や微生物は殺菌されて除菌、住み着こうと付着したウイルス、細菌、真菌、粘菌や微生物も殺菌されて除菌されるので栽培植物の感染症予防になり、生産性が向上すると共に、大腸菌や病原性大腸菌Ｏ−157等の食中毒の予防になり食の安全が得られる。更に、殺菌力が持続して抗菌作用があるため、収穫後も鮮度を保ち賞味期限と消費期限を延ばすと共に、食べたり、ジュース（植物イオン液）にして飲んだりの飲食をする事により身体の体液も抗菌性金属イオン化によって抗菌体質（抗菌生体）になり、ウイルス、細菌、真菌、粘菌や微生物の感染症の予防と感染している、または感染した疾患の症状の改善や治療が出来る。この様に抗菌性金属イオン・ミネラルウォーターを植物栽培イオン水とする事により、植物の病気予防による生産性向上と食の安全による健康が得られる。
【００１５】
また、本発明の安全性は、従来から家電製品、台所用品、事務用品などに使用されていて安全が確認されている抗菌性金属イオンを用いて、前記原水を抗菌性金属イオン化してミネラルウォーターにしたため、ウイルスや細菌等の微生物にはイオンの殺菌力を発揮するが、植物には無害で動物に対しても安全性が高い。特に、亜鉛は、魚貝類、肉、野菜、穀物などの食品の動植物自体にも含まれていると云うことは、逆に動植物にとっても非常に重要で必要不可欠なミネラル元素であり、サプリメントとしても用いられている。また、銀は食器類や銀歯等で昔から抗菌力と安全性が知られている。また、銅についても緑青は無害である事は公知である。これらの金属イオン抗菌剤と前記原水を溜水接触させると抗菌性金属は前記原水にイオン溶出して、その水質は無色、無臭、無味、無香、無刺激、無毒のままで、ただ原水を電気的に電子レベルでイオン化しただけの抗菌性金属イオン・ミネラルウォーターであり、水道法水質基準及び食品衛生法の基準にも適合することができるため、人体には影響が無く安全であり、抗菌性金属イオン・ミネラルウォーターで栽培した殺菌性、除菌性、抗菌性があるイオン植物（野菜・果実）は安心して飲食品として取ることができる。また、牛、馬，やぎ等の草食動物の家畜にも適用効果がある。
【００１６】
また、露地栽培や水耕栽培等の場合における本発明の溜水接触で植物栽培イオン水の抗菌性金属イオン・ミネラルウォーターである抗菌性金属イオン水を得る経済効果としては、金属イオン抗菌材を栽培水として用いる前記原水の中に入れるだけで簡単にイオン化して溜水が抗菌性金属イオン・ミネラルウォーターになり、植物栽培イオン水か得られる。植物栽培で量が少なくなった場合には水道水、地下水、蒸留水、農業用水等の原水を栽培イオン水用として注ぎ足し補充して溜水を増やす事により、また溜水が短時間で抗菌作用、除菌作用、殺菌作用のある抗菌性金属イオン・ミネラルウォーターとなり、何回でも継続して多量の植物栽培イオン水が得られるので経済的である。
【００１７】
また、抗菌性金属イオン剤または抗菌性金属イオン材を露地栽培の培地に混ぜたり、土壌に蒔いたりして抗菌性金属イオン・ミネラルウォーターを得る栽培方法の場合は、雨水や栽培給水の散水が抗菌性金属イオン剤または抗菌性金属イオン材と直接接触して自然と栽培イオン水が得られて抗菌性金属イオン・ミネラルウォーターになる。
【００１８】
更に、公害面での世界的な効果としては、地球上では、自然環境の中で野菜や果実を栽培している国が多くあり、ウイルス、細菌、真菌等の微生物の被害を防止して生産性向上を図るため、農薬が多量に使われていて、収穫した野菜や果実は農薬漬けの状態であると共に、田畑の土壌や河川も農薬汚染となっているのが現状で、農薬の化学物質である内分泌霍乱物質（環境ホルモン）により、アレルギー、子宮内膜症、不妊、乳癌、発達障害の公害病のもととなっている。特に、農薬汚染で15人に1人の割合で発達障害児がいると云われている。農薬には殺虫剤、殺菌剤、除草剤の三大農薬があり、本願の抗菌性金属イオン・ミネラルウォーターを用いた抗菌性金属イオン水の植物栽培で殺菌剤公害を大幅に減らすことが出来る。
【００１９】
この様に、抗菌性金属イオン・ミネラルウォーターによる抗菌性金属イオン水の栽培であると、ウイルス、細菌、真菌、粘菌や微生物による感染病予防、殺菌剤無農薬や殺菌剤無公害の環境作りと生産性向上、食中毒の予防がアフリカ、中南米、アジアなど世界中で何処でも、手軽に入手可能な身の回りの水で容易に植物が栽培できるため、人類の健康と繁栄にとって世界的にも非常に効果的な植物栽培の発明である。
【図面の簡単な説明】
【００２０】
【図１】金属イオン抗菌材と金属イオン抗菌材による原水との溜水接触で抗菌性金属イオン・ミネラルウォーターをつくる一実施例を明示したものである。
【図２】抗菌性金属イオン・ミネラルウォーターを用いて発芽から抗菌性金属イオンを含有した抗菌植物の栽培の一実施例をイラストで示したものである。
【図３】金属イオン抗菌材を直接、栽培水の中にいれて抗菌性金属イオン・ミネラルウォーターを得て水耕栽培する一実施例をイラストで示したものである。
【図４】金属イオン抗菌剤または、金属イオン抗菌材を直接培地に用いて抗菌性金属イオン・ミネラルウォーターを得る露地栽培の一実施例をイラストで示したものである。
【図５】抗菌性金属イオン・ミネラルウォーターで樹木（梅の木）を栽培すると抗菌樹木になってウイルス、細菌、真菌、粘菌、微生物等の感染病の予防と感染した症状の改善、治療が出来る事をイラストで示したものである。
【図６】抗菌性金属イオン・ミネラルウォーターで栽培した野菜、果実、生花等には抗菌性金属イオンが含有しているので腐り難くい事を示したイラスト図である。
【図７】ミニ盆栽の一実施例。
【発明を実施するための形態】
【００２１】
本発明の溜水接触によりイオン水を得る実施に於いては、抗菌性金属イオンを担持させた無機物系担体からなる金属イオン抗菌剤は、商業的に入手可能であり、例えば、株式会社サンギの無機物系担体であるハイドロキシアバタイトに「亜鉛イオンを担持させたアバ
サイダ−Ｚ」、「銀イオンを担持させたアバサイダ−ＡＫ」や東亜合成株式会社の無機物系担体であるリン酸ジルコニウムに「銀イオンを担持させたノバロンＡＧＺ３３０」、シナネンゼオミック株式会社の無機物系担体であるゼオライトに「銀イオンを担持させたゼオミックＡＷ１０Ｄ」などがある。なお、株式会社アドバンスと大阪産業大学が共同研究開発したチタンと銀を燃焼合成させたセラミック多孔質のものは本発明の金属イオン抗菌材として適するので適用できる。
【００２２】
以下、本発明の実施の一形態を図１〜図７に基づいて詳細に説明する。なお、本発明の抗菌性金属イオン・ミネラルウォーターとは、栄養素ではなく殺菌面で植物の生育に役立つ無機物イオンを含んだ水であり、金属の場合は抗菌性金属イオン水となる。例えば、抗菌性銀イオン水。図１は本発明の請求項１における原水を金属イオン抗菌材と溜水接触させて、原水をイオン化した抗菌性金属イオン・ミネラルウォーターを作る一実施例の方法を示したものであり、同図（イ）は、チタン（図示せず）に抗菌性金属である銀、亜鉛、銅（図示せず）を個別に、または複合で担持させた金属イオン抗菌剤１を成型した金属イオン抗菌材Ｐである。同図（ロ）は、水道蛇口Ｊから原水Ｗ（図示せず）である水道水２を溜水容器５の中に溜め、この溜水Ｔの中に金属イオン抗菌材Ｐを入れて溜水接触させる事によって、水道水２の中に抗菌性金属イオン３が金属イオン抗菌材Ｐから溶出して水道水２はイオン化されて抗菌性金属イオン水になった抗菌性金属イオン・ミネラルウォーター４を明示したものである。なお、抗菌性金属の銀、亜鉛、銅が複合の金属イオン抗菌材Ｐの場合は銀、亜鉛、銅の複合の抗菌性金属イオン・ミネラルウォーター４となる。
【００２３】
図２は、発芽から抗菌性金属イオン・ミネラルウォーター４で植物の育成を示したものであり、同図（イ）は、本発明の請求項１における抗菌性金属イオン・ミネラルウォーター４または、電解方法（公知）による抗菌性金属イオン・ミネラルウォーター４（図示せず）を溜水容器５の中に入れて抗菌性金属イオン水の溜水Ｔとした栽培水である。同図（ロ）は、溜水容器５から給水器６の中に抗菌性金属イオン３が溶出してイオン化した抗菌性金属イオン水の溜水Ｔを移して発芽植物に抗菌性金属イオン・ミネラルウォーター４として散布給水する事により、抗菌性金属イオン３が培地８に浸透するため、発芽植物が吸収して抗菌性金属イオン３を含有した抗菌植物７になる事の一実施例を示したものである。
【００２４】
図３は、水耕栽培に本願の抗菌性金属イオン・ミネラルウォーター４を用いた植物の栽培方法の一実施例を示したものであり、原水である農業用水（図示せず）の中に直接、金属イオン抗菌材Ｐを入れて、抗菌性金属イオン３を溶出させた抗菌性金属イオン・ミネラルウォーター４を水耕栽培水Ｍとして、抗菌性金属イオン３を含有した抗菌性植物７を育てている水耕栽培Ｓである。特に、野菜工場に於いてＬＥＤランプを使用した水耕栽培のウイルス、細菌、真菌、粘菌や微生物の感染病の予防と感染した症状の改善や治療に適する。
【００２５】
図４は、露地栽培に於ける抗菌性金属イオン・ミネラルウォーター４（図示せず）を用いた本願の植物の栽培方法の一実施例を示したものであり、金属イオン抗菌剤１や金属イオン抗菌材Ｐを培地８に混ぜたり、土壌Ｇ上にばら蒔いたりする事により、雨Ｒの雨水９や給水器６による原水Ｗである水道水２が接触する事により、自然と抗菌性金属イオン・ミネラルウォーター４（図示せず）になり培地８に浸透するため、抗菌性金属イオン３を含有した抗菌植物７が育てられる事が出来る露地栽培Ｅを示したものであり、野菜工場の露地栽培にも適する。
【００２６】
図５は、本願の抗菌性金属イオン・ミネラルウォーター４で樹木の栽培の一実施例を示したものであり、抗菌性金属イオン３が溶出して抗菌性金属イオン水となった溜水Ｔを給水器６に入れて、栽培土壌Ｇに抗菌性金属イオン・ミネラルウォーター４として散水供給等によって梅の木１０を栽培すると栽培土壌Ｇに抗菌性金属イオン・ミネラルウォーター４が浸透して培地８には抗菌性金属イオン３が含有する。梅の木１０が生育水として浸透した抗菌性金属イオン・ミネラルウォーター４を吸収する事により抗菌性金属イオン３が梅の木１０の組織や樹液の中に取り込まれ、梅の木１０は抗菌性金属イオン３を含有した抗菌樹木Ｋになる。従って、プラムポックス等のウイルスや細菌、真菌などによる樹木の感染病の予防や改善、治療ができる。例えば、青梅市の梅林のプラムポックスウイルス（ppv）感染症の伐採予防対策等になる。
【００２７】
図６は、本願の抗菌性金属イオン・ミネラルウォーター４で栽培した抗菌植物７（図示せず）から収穫した野菜Ａ、果実Ｂ、生花Ｃ等は、抗菌性金属イオン３を含有しているのでウイルス、細菌、真菌等の殺菌作用、除菌作用、抗菌作用で腐り難く、賞味期限と消費期限が延ばせると共に、食中毒が防げて安全で、殺虫剤農薬も含んでいないので安心して食べる事ができる。
【００２８】
図７は、本願の抗菌性金属イオン・ミネラルウォーター４で栽培したミニ盆栽の一実施例であり、ミニ盆栽Ｄに給水器６から抗菌性金属イオン・ミネラルウォーター４を栽培水として散水する事により、天然芝１１を通して培地８に抗菌性金属イオン・ミネラルウォーター４が浸透して抗菌性金属イオン３が含有されるため、天然芝１１と培地８にはウイルス、細菌、真菌、粘菌や微生物が繁殖できず、また花草や樹木は培地８に浸透した抗菌性金属イオン・ミネラルウォーター４を吸収して抗菌性金属イオン３が含有するので抗菌植物７や抗菌樹木Ｋとなり、感染病になり難い。更に、抗菌性金属イオン・ミネラルウォーター４が空気中に蒸発する事によって、抗菌性金属イオン３も気化抗菌性金属イオン３１となって浮遊するので空気中や室内のウイルス、細菌、真菌、粘菌や微生物を殺菌して除菌する。なお、屋内のＬＥＤ栽培の場合は、抗菌性金属イオンが太陽光の殺菌力に変わって殺菌効果を発揮する。
【符号の説明】
【００２９】
１      金属イオン抗菌剤
２      水道水
３      抗菌性金属イオン
３１    気化抗菌性金属イオン
４      抗菌性金属イオン・ミネラルウォーター
５      溜水容器
６      給水器
７      抗菌植物
８      培地
９      雨水
１０      梅の木
１１      天然芝
Ａ      野菜
Ｂ      果実
Ｃ      生花
Ｄ      ミニ盆栽
Ｅ      露地栽培
Ｇ      栽培土壌
Ｊ      水道蛇口
Ｋ      抗菌樹木
Ｍ      水耕栽培水
Ｐ      金属イオン抗菌材
Ｒ      雨
Ｓ      水耕栽培
Ｔ      溜水
Ｗ      原水
【図１】
2017023015.tif 000003
【図２】
2017023015.tif 000004
【図３】
2017023015.tif 000005
【図４】
2017023015.tif 000006
【図５】
2017023015.tif 000007
【図６】
2017023015.tif 000008
【図７】
2017023015.tif 000009